【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
表示手段と、
上記表示手段上に地図を表示する地図表示手段と、
自身の現在位置を求める測位手段と、
上記測位手段によって求められた上記現在位置を上記地図表示手段により表示される地図上に示す現在位置表示手段と
を具備した航法装置において、
現在の時刻と上記測位手段によって求められた上記現在位置とに基づいて太陽の方位及び太陽の仰角を求め、それに基づいて影の表示方位と長さを計算する影計算手段と、
上記地図表示手段によって上記表示手段上に表示された地図上の上記建築物等の対象物に、上記影計算手段によって求められた上記影の表示方位と長さに従って影を付与する影付与手段と
を具えることを特徴とする航法装置。
【請求項２】
上記現在位置表示手段は、上記現在位置を上記地図表示手段によって表示された地図上に自車位置又は自己位置を示すマークを表し、
上記影付与手段は、上記マークに対しても上記影を付与する
ことを特徴とする請求項１に記載の航法装置。
【請求項３】
上記影付与手段は、上記対象物又は上記マークに対して付与する上記影の長さを上記影計算手段によって求められた上記長さに拘らず所定の上限値に設定する
ことを特徴とする請求項１又は請求項２に記載の航法装置。
【請求項４】
上記航法装置は、
上記影付与手段が上記対象物又は上記マークに対して付与する上記影の長さを上記影計算手段によって求められた上記長さに拘らず所定の長さに切り替えて表示する影長さ切り替え手段
を具えることを特徴とする請求項１又は請求項２に記載の航法装置。
【請求項５】
上記航法装置は、
上記影付与手段が上記対象物又は上記マークに対して上記影を付与して表示するか否かを切り替える影表示切り替え手段
を具えることを特徴とする請求項１又は請求項２に記載の航法装置。
【請求項６】
上記航法装置は、
夜間には上記影付与手段による影付与機能を停止する
ことを特徴とする請求項１又は請求項２に記載の航法装置。
【請求項７】
上記影付与手段は、太陽が出ている時間帯だけ上記影を付与し、時間の経過に従って上記影の長さと方位を変更する
ことを特徴とする請求項１又は請求項２に記載の航法装置。
【請求項８】
上記地図表示手段は、上記地図画面上に太陽の位置を示すように当該太陽を表示する
ことを特徴とする請求項１に記載の航法装置。
【請求項９】
上記地図表示手段は、地図上に存在する建築物等の対象物を立体的に表示する３次元表示機能を有する
ことを特徴とする請求項１に記載の航法装置。
【請求項１０】
表示手段上に地図を表示する地図表示ステップと、
自身の現在位置を求める測位ステップと、
上記測位ステップで求められた上記現在位置を上記表示手段上に表示された地図上に示す現在位置表示ステップと、
現在の時刻と上記測位ステップで求められた上記現在位置とに基づいて太陽の方位及び太陽の仰角を求め、それに基づいて影の表示方位と長さを計算する影計算ステップと、
上記地図表示ステップで上記表示手段上に表示された地図上の上記建築物等の対象物に、上記影計算ステップで求められた上記影の表示方位と長さに従って影を付与する影付与ステップと
を具えることを特徴とする影付与制御方法。
【手続補正２】
【補正対象書類名】明細書
【補正対象項目名】０００６
【補正方法】変更
【補正の内容】
【０００６】
【課題を解決するための手段】
かかる課題を解決するため本発明においては、表示手段と、当該表示手段上に地図を表示する地図表示手段と、自身の現在位置を求める測位手段と、当該測位手段によって求められた現在位置を地図表示手段により表示される地図上に示す現在位置表示手段とを具備した航法装置において、現在の時刻と測位手段によって求められた現在位置とに基づいて太陽の方位及び太陽の仰角を求め、それに基づいて影の表示方位と長さを計算する影計算手段と、当該地図表示手段によって表示手段上に表示された地図上の建築物等の対象物に、影計算手段によって求められた影の表示方位と長さに従って影を付与する影付与手段とを設けるようにする。
【手続補正３】
【補正対象書類名】明細書
【補正対象項目名】００２７
【補正方法】変更
【補正の内容】
【００２７】
【発明の効果】
上述のように請求項１の発明によれば、比較的簡単な方法で表示手段上に表示した地図上の建物物等に現実のものと同じような影を表示し、実際の視界との比較を容易にした航法装置を実現することができる。
【手続補正４】
【補正対象書類名】明細書
【補正対象項目名】００２８
【補正方法】変更
【補正の内容】
【００２８】
上述のように請求項２の発明によれば、現在位置表示手段によって現在位置を自車位置又は自己位置を示すマークで地図上に表し、影付与手段によってこのマークに対しても影を付与することにより、比較的簡単な方法で地図上の建物物等や自車位置を示すマークに現実のものと同じような影を表示し、実際の視界との比較を容易にした航法装置を実現することができる。
【手続補正５】
【補正対象書類名】明細書
【補正対象項目名】００２９
【補正方法】変更
【補正の内容】
【００２９】
上述のように請求項３の発明によれば、影付与手段により対象物又はマークに対して付与する影の長さを影計算手段によって求められた長さに拘らず所定の上限値に設定することにより、必要以上に長い影のために地図上が混乱することを防止し、地図上に見易い表示を行うことができる。
【手続補正６】
【補正対象書類名】明細書
【補正対象項目名】００３０
【補正方法】変更
【補正の内容】
【００３０】
上述のように請求項４の発明によれば、影付与手段が対象物又はマークに対して付与する影の長さを影計算手段によって求められた長さに拘らず所定の長さに切り替えて表示することにより、影の長さが実際のように変化はしないが、必要以上に長い影のために地図上が混乱することを防止し、地図上に見易い表示を行うことができる。
【手続補正７】
【補正対象書類名】明細書
【補正対象項目名】００３１
【補正方法】変更
【補正の内容】
【００３１】
上述のように請求項５の発明によれば、影付与手段が対象物又はマークに対して影を付与して表示するか否かを切り替えることにより、使用者の必要に応じて影を付与するか否かを任意に選択することができる。
【手続補正８】
【補正対象書類名】明細書
【補正対象項目名】００３２
【補正方法】変更
【補正の内容】
【００３２】
上述のように請求項６の発明によれば、夜間には影付与手段による影付与機能を停止することにより、実際に影が見えない夜間には表示手段上に表示した地図上についても影を無くし、実際の視界との比較を容易にして見易い表示を行うことができる。
上述のように請求項７の発明によれば、太陽が出ている時間帯だけ影を付与し、時間の経過に従って影の長さと方位を変更することにより、実際に影が見える時間帯にのみ表示手段上に影を表示し、実際の視界との比較を容易にした見易い表示を行うことができる。
上述のように請求項８の発明によれば、地図表示手段が地図画面上に太陽の位置を示すように当該太陽を表示することにより、実際にものと同じように表示手段上に太陽を表示し、実際の視界との比較を容易にした見易い表示を行うことができる。
上述のように請求項９の発明によれば、地図表示手段は、地図上に存在する建築物等の対象物を立体的に表示する３次元表示機能を有することにより、立体的に表示した対象物の影をリアルに表示し、実際の視界との比較を容易にした見易い表示を行うことができる。
上述のように請求項１０の発明によれば、比較的簡単な方法で表示手段上に表示した地図上の建物物等に現実のものと同じような影を表示し、実際の視界との比較を容易にした航法装置を実現することができる。